Podtech/llm-jp-corpus-v4-ja_patent huggingface dataset:
(57)【要約】【課題】初心者から上級者まで楽しめる為に、数個の大きさの違う穴を設け、周囲に違った色を付け競技の方法を大きくした剣玉を提供する。【解決手段】楕円の平板受け台（３）に大きさの違う穴（４）を横長方向に数個設け、その台（３）にもち手（２）を設けたことを特徴とする剣玉。【選択図】図１
2007307328.tif 000002
【特許請求の範囲】
【請求項１】
楕円の平板受け台（３）に大きさの違う穴（４）を横長方向に数個設け、その台（３）にもち手（２）を設けたことを特徴とする剣玉
【発明の詳細な説明】
【技術分野】
【０００１】この発明は楕円の平板受け台に、大きさの違う数個の穴を設け、周囲に違った色をつけ、もち手を設け、玉を受ける剣玉に関するものである。
【背景技術】
【０００２】従来からある創玉は、タテ方向の立体型で構成されていた。
【発明の開示】
【発明が解決しようとする課題】
【０００３】そのために従来の剣玉は、立体型で構成されていて、初心者か、一部の上級者の競技用の感が強く、一般の者には面白くなくすぐにあきて長続きしなかった。
本発明は、以上のような欠点をなくす為になされたものである。
【課題を解決するための手段】
【０００４】楕円の平板受け台（３）に大きさの違う穴（４）を横長方向に数個設け、その台（３）にもち手（２）設ける。本発明は以上の構成よりなる剣玉である。
【発明の効果】
【０００５】大きさの違う穴を横長方向に数個設けているので、初心者でもどれかの穴をねらって競技を楽しめ、上達しやすい。さらに穴の周囲に色彩の異なるものをつけているので、識別しやすく、穴入れの上達がうまくかつ早く上達できる。中級者や上級者は、連続して狙った穴に玉を受ける事が出来る。神経を集中して手を使うので、リハビリ、老人のボケ防止等にも使用出来る。
又右手、左手、どちらでも比較的簡単に出来る。多人数でも同時に受ける穴を決めて競技をすることが出来る。表から裏と交互に玉を受ける事が出来る。
【発明を実施するための最良の形態】
【０００６】以下、本発明を実施するための最良の形態について説明する。
玉（１）を受ける為、楕円の平板受け台（３）に大きさの違う穴（４）を横長方向に数個設け、穴（４）の周囲を色彩の異なるもので区別する。平板受け台（３）の一端に筒状のもち手（２）を設ける。
玉（１）は糸（５）を介して平板受け台（３）のもち手（２）付近に設ける。本発明は以上のような構造でこれを使用する時は、もち手（２）を持って、玉（１）を自分の狙った穴（４）に受けて行く。又表の受け台（３）の穴（４）から裏の受け台に玉を交互受けて競技の方法を大きくする。
【図面の簡単な説明】
【０００７】
【図１】本発明の平面図である。
【図２】本発明の側面図である
【符号の説明】
【０００８】    １  玉
２  もち手
３  平板受け台
４  大きさの違う穴
５  糸
【図１】
2007307328.tif 000003
【図２】
2007307328.tif 000004
(57)【要約】【課題】坐剤の挿入角度、速度などの微妙な調節がし易く、挿入の際に痛みを伴ったり傷をつけることが少なく、坐剤と肛門の位置合わせが容易で、坐剤を挿入し易い坐剤挿入補助具を提供する。【解決手段】柔らかくて透明または半透明なシートと、このシート中央付近に設けた穴を開口部とする細長い坐剤挿入袋とよりなる坐剤挿入補助具。【選択図】図１
2007307322.tif 000002
【特許請求の範囲】
【請求項１】
柔らかくて透明または半透明なシートと、このシートの中央付近に設けた穴を開口部とする細長い坐剤挿入袋とよりなる坐剤挿入補助具。
【発明の詳細な説明】
【技術分野】
【０００１】  本発明は、坐剤を安全で衛生的に且つ容易に肛門内部に挿入する坐剤挿入補助具に関するものである。
【背景技術】
【０００２】  従来の坐剤挿入補助具は、図６に示すように坐剤のガイド部材（Ａ）と坐剤の押し込み部材（Ｂ）とから構成されている。前記ガイド部材（Ａ）は、肛門周辺に当てるつば板（１１）と坐剤挿入筒（１２）と前記押し込み部材（Ｂ）の受け止め板（１３）を同軸的に一体に構成したものであり、前記押し込み部材（Ｂ）は前記坐剤挿入筒（１２）に挿入した坐剤を押し出す押し込み棒（１４）に柄（１５）を取り付けた構成になっている。
このほか図８に示すように、前記つば板（１１）に挿入口（１８）を設けたものもある。
【発明の開示】
【発明が解決しようとする課題】
【０００３】  しかし、従来の坐剤挿入補助具には次のような問題点があった。
（１）図７に示すように、ガイド部材（Ａ）を肛門周辺にあてがい押し込み部材（Ｂ）で坐剤を間接的に押して挿入するため、坐剤の挿入角度、速度などの微妙な調節が難しい。
（２）図９に示すように、坐剤の押し込み棒（１４）や、つば板（１１）の前側に突設した挿入口（１８）が硬いため、肛門内に押し入れると痛みを伴ったり傷がつき易い。
（３）ガイド部材（Ａ）は不透明で厚さがあるため、介護や幼児に使用する際ガイド部材（Ａ）を通して肛門が見えづらく、ガイド部材（Ａ）と肛門の位置合わせが難しいため坐剤の挿入がしづらい。
（４）立体的で硬く折りたためないため、携帯や収納に不便である。
（５）高価になりがちで不経済になり易い。
【課題を解決するための手段】
【０００４】  本発明が提供する坐剤挿入補助具は、柔らかくて透明または半透明なシートと、このシートの中央付近に設けた穴を開口部とする細長い坐剤挿入袋とよりなる。
【発明の効果】
【０００５】    （１）坐剤を薄く柔らかいシートを介して直接手で押して挿入するため、坐剤の挿入角度、速度などの微妙な調節がし易い。
（２）薄く柔らかいシートを介して手で坐剤を挿入するため感触が柔らかく、肛門内に押し入れても痛みを伴ったり傷をつけることが少ない。
（３）薄く透けるシートのため、介護や幼児に使用する際シートを通して相手の肛門が見易く、坐剤と肛門の位置合わせが容易であり坐剤を挿入し易い。
（４）薄く柔らかいため折りたたむことができ、携帯や収納に便利である。
（５）安価で経済的である。
【発明を実施するための最良の形態】
【０００６】  以下、本発明の実施の形態を実施例によって説明する。
図１は実施例の坐剤挿入補助具を示す。この補助具は、円形で直径６ｃｍ程度のポリエチレン製の透明なシート（１）の中央部に２．５ｃｍ程度のカット穴（３）を設け、このカット穴（３）を開口部とする細長い坐剤挿入袋（２）をシート（１）に一体に形成したものである。【０００７】  坐剤挿入袋（２）は、坐剤（４）をその長さ方向に向けて挿入する、先端に向かって細くなっている袋である。また、坐剤（４）を挿入したとき若干の余裕を持って入れることができる大きさであり、図２に示すように坐剤（４）の先が少し突出する深さである。【０００８】  本実施例の坐剤挿入補助具は以上の構成となっており、次の手順で使用する。
まず、図２に示すように、シート（１）を左右に引いてカット穴（３）を開き、坐剤挿入袋（２）に坐剤（４）をその底を手前にして挿入する。【０００９】  次いで、図３に示すように、坐剤（４）の先が肛門（５）に当たるように、シート（１）を肛門周りにあてがいながら坐剤（４）の底を指で押し、図４に示すように肛門内部まで坐剤を挿入する【００１０】  シート（１）を左右に引くことで、坐剤挿入袋（２）がシート（１）に対して垂直に保持される。そのため坐剤挿入袋（２）に坐剤（４）を入れてシート（１）を肛門周りにあてがうと、坐剤（４）が肛門（５）に対して垂直に保持され、坐剤の挿入が容易になる。このように、本実施例の坐剤挿入補助具によれば、安全で衛生的に且つ容易に坐剤を肛門内部に挿入することができる。また、携帯や収納にも便利である。【００１１】  坐剤挿入袋（２）の穴は、カット穴（３）に限られない。図５に示す他の実施例のように、丸穴（７）でも良いし、図示しないが四角形でも良い。シート（１）に代えて、図５に示すような四角形のシート（６）を使用しても良い。
本発明の目的を達成できるものであれば実施例に限ったものでなくても良い。
【図面の簡単な説明】
【０００８】
【図１】実施例の斜視図
【図２】実施例の使用図
【図３】実施例の使用図
【図４】実施例の使用図
【図５】他の実施例の斜視図
【図６】従来の坐剤挿入補助具の分解斜視図
【図７】従来の坐剤挿入補助具の使用状態を示す断面図
【図８】従来の坐剤挿入補助具の斜視図
【図９】従来の坐剤挿入補助具の使用状態を示す断面図
【符号の説明】
【０００９】        １  シート
２  坐剤挿入袋
３  カット穴
４  坐剤
５  肛門
６  四角形のシート
７  丸穴
【図１】
2007307322.tif 000003
【図２】
2007307322.tif 000004
【図３】
2007307322.tif 000005
【図４】
2007307322.tif 000006
【図５】
2007307322.tif 000007
【図６】
2007307322.tif 000008
【図７】
2007307322.tif 000009
【図８】
2007307322.tif 000010
【図９】
2007307322.tif 000011
(57)【要約】【課題】  従来の引出収納は、手前側に比べてと奥側の使い勝手が悪かったり、収納有効スペースが小さかったりという問題があった。矩形の引出を往復させるだけでは、手前と奥とに位置の差を生じ、円形の引出を採用したのでは、無駄なスペースが生じるためである。【解決手段】  筐体の上下面と隣り合う２側面を固定し、２側面に対向する２面を開放して、回転可能な正方形の引出を斜め前方に引き出す構造として、無駄なスペースの発生を抑え、引出内のどの位置でも物品の取り出しと収納とを容易に行うことができる。【選択図】図１
2007307327.tif 000002
【特許請求の範囲】
【請求項１】
幅と奥行きが等しい正方形の引出と、側面、背面、天井面（上）および底面（下）の４面が固定され、前記側面と前記背面とに対向する２面が開放された筐体と、前記筐体の底面上で滑る摺動板とより構成され、前記引出は正方形中心周りに自由に回るよう回転軸を介して前記摺動板に結合された構造の引出収納家具。
【請求項２】
摺動板と引出底面との間に、前記引出の回転軸の周りに回転できる保持器により、相互の間隔を一定に保たれた複数の回転体を配した請求項１に記載の引出収納家具。
【請求項３】
摺動板と筐体底面に一定幅のテープ状あるいは線状の低摩擦材を交互に貼り付けて、前記摺動材板の移動方向を規制した請求項１に記載の引出収納家具。
【請求項４】
摺動板の移動を一定距離以下に規制するストッパーを筐体底面に備えた請求項１に記載の引出収納家具。
【発明の詳細な説明】
【技術分野】
【０００１】  本発明は、文具、食器、衣類などを整理収納するための引出を有する収納家具に関する。
【背景技術】
【０００２】  一般に引出を有する収納具は、引き出した状態で手前側と奥側が生じ、特に奥のほうへの物品の取り出しと収納は、手前側よりも不便な傾向があり、このような不具合を解消するために、円形の収納部を備えたもの（例えば特許文献１参照）、あるいは引き出した後に収納部を回転させることができるもの（例えば特許文献２および特許文献３参照）がある。
【特許文献１】  実用新案登録第３０７６１８８号公報
【特許文献２】  実用新案登録第３１１９５３８号公報
【特許文献３】  特開平１０−３３２７５号公報
【発明の開示】
【発明が解決しようとする課題】
【０００３】  しかし、整理箪笥、キャビネットなどの収納家具は、製造の容易さや部屋の形に合わせて、四角い外形が普通であるので、ここに円形の収納部あるいは引き出した後に回転できる収納部を設けても、隅部分に使われることのない無駄なスペースを生じてしまうことになる。【０００４】  本発明は、四角な外形でありながら無駄なスペースを生じることなく、しかも引出のどこの位置も同じように物品の取り出しと収納ができる家具を提供するものである。
【課題を解決するための手段】
【０００５】  本発明の引出収納家具は、幅と奥行きが等しい正方形の引出と、側面、背面、天井面（上）および底面（下）の４面が固定され、前記側面と前記背面とに対向する２面が開放された筐体と、前記筐体の底面上で滑る摺動板とより構成され、前記引出は正方形中心周りに自由に回るよう回転軸を介して前記摺動板に結合された構造である。【０００６】  前記摺動板と前記引出の底面との間に、前記引出の回転軸の周りに回転できる保持器により相互の間隔を一定に保たれた複数の回転体を配しているので、前記引出は軽く回転することができる。【０００７】  前記摺動板と前記筐体の底面に一定幅のテープ状あるいは線状の低摩擦材を交互に貼り付けて、前記摺動材板の移動方向を規制しているので、前記引出は、一定方向にのみ引き出される。【０００８】  前記摺動板の移動を一定距離以下に規制するストッパーを前記筐体底面に備えているので、前記引出は、前記筐体から抜け落ちてしまう懸念がない。
【発明の効果】
【０００９】  上述のように、本発明の収納家具は、無駄なスペースの少ない正方形の収納部をもち、引き出された状態では自由に回転するので、引出のなかの必要な部分を一番手前側とすれば、物品の取り出しと収納を極めて容易に行うことができる。
【発明を実施するための最良の形態】
【００１０】  以下、本発明の実施の形態を図１〜図３にもとづいて説明する。【００１１】  図１〜図３において、筐体１は、側面１ａ、背面１ｂ、天井面（上）１ｃおよび床面（下）１ｄが固定され、側面１ａと背面１ｂとに対向する２面が開放されている。【００１２】  引出２は、幅と奥行きが等しい正方形で、下面を摺動板３に固定された回転軸４により正方形の中心周りに自由に回転できる状態で支えられている。【００１３】  引出２と摺動板３との間には、複数の球体５の間隔を一定に保つ保持板６と引出２の下面で球体５との接触する回転板７とがあって、引出２は軽く回転させることができる。【００１４】  摺動板３と筐体１の底板１ｄとの間には、低摩擦シート材８ａおよび８ｂが、それぞれ摺動板３の下面と底板１ｄの上面に対角線の方向に交互に貼り付けられており、これによって摺動板３とこれに支えられた引出２は、対角線方向にのみ滑らかに引き出したり、押し込んだりすることができる。【００１５】  筐体１の底板１ｄの縁には、ストッパー９が固定されており、摺動板３はその行程を制限されているために、引出２は、筐体１から落下してしまうことがない。【００１６】  このように構成された本発明の引出収納家具は、引出２を引き出せば、自由に回転するために、引出２の内部のどの位置であっても、物品の取り出しと収納は極めて容易である。【００１７】  引出２は、隅部を略々筐体１に合わせて押し込めば、どの位置であっても閉じた状態とすることができる。【００１８】  引出２のなかに物品が偏って収納されれば、引出２は傾いて周縁部分が筐体１と接触して、動きが重くなってしまう懸念があるが、球体５による回転半径の大きい軸受構造は、重心位置の移動がこの範囲内であれば、引出２を傾けさせることがない。【００１９】  引出２の支持に通常のすべり輔受を用いた場合は、径が大きければ摩擦損失の増大によって回転の滑らかさを失い、径が小さい場合は、偏った重量を支えるために、有効軸長を長くする必要を生じ、収納部の有効スペースを減じてしまうことになる。【００２０】  軸受として球体のかわりに、小径の円筒体を用いることもでき、また低摩擦シート材の代替として、球体の転動を用いる摺動ユニットを採用することもできる。
【図面の簡単な説明】
【００２１】
【図１】  本発明の引出収納家具の実施形態を示す斜視図
【図２】  同引出収納家具の部分断面図
【図３】  同引出収納家具の構成を示す分解図
【符号の説明】
【００２２】  １            筐体
２            引出
３            摺動板
４            回転軸
５            球体
６            保持板
７            回転板
８ａ、８ｂ    低摩擦シート材
９            ストッパー
【図１】
2007307327.tif 000003
【図２】
2007307327.tif 000004
【図３】
2007307327.tif 000005
(57)【要約】【課題】卓上両開き炭火小型やきとり具を提供する。【解決手段】はこ型本体の上部中央に炭火入り口を設け、串やけ防止板を設け、炭火具を設ける、本体最上部に取っ手付き鉄板を設け、さらに、ドア内部上に串固定バネを設け、下部に落下防止ようＣ型受け具を設け、ドアに中確認ようたいねつガラスを設け、本体のつま上部に取っ手を設け、下部に空気あなを設け、底部は灰受け具を設けたことを特徴とする卓上やきとり具。【選択図】図１
2007307323.tif 000002
【特許請求の範囲】
【請求項１】
はこ型本体上、中央部に炭火具入り口を設け、串やけ防止板を設ける、炭火具を設け、本体両つま上部に取っ手を設け、下部分に空気穴を設け、底部は灰受け具を設ける、前後で焼くよう両びらきに作成した、中が見える用ドアに耐熱ガラスを設け、ドア内部にＣ型串受け具を設け、さらに、串固定バネを設ける、ドア外部中央に取っ手を設け、なお、本体上部に野菜やき板を設けた、焼きながら食べることを特徴とした両面びらきの卓上型やきとり具。
【発明の詳細な説明】
【技術分野】
【０００１】  本発明は、卓上で焼きながら食べられる、やきとり具に関するものである。
【背景技術】
【０００２】  従来、商売用の大型やきとり具はあった。
【発明の開示】
【発明が解決しようとする課題】
【０００３】  そのために、次のような問題点があった。
（イ）スーパーから買っても油が白く固まった冷蔵庫用の品である電子レンジに入れ熱しますが思う用でない。
（ロ）やきとり屋の焼き立てを買って来たりしますが食べるころには冷めて味がすぐれない。
（ハ）ざいしつが焼きすぎにより黒くかたくなってる物がおおいのである。
［本発明は、これらの問題点を解決するためになされたものである。
【課題を解決するための手段】
【０００４】  はこ型本体上部に炭火具入り口を設け、串やけ防止板を設ける、炭火入れ具を設け、本体外部つま上部に取っ手を設け、下部に空気あなを設ける、本体底に灰受け具を設け内部を見るためドアに耐熱ガラスを設ける、ドア内部の下部にＣ型串受け具を設け、さらに、上部に串固定バネを設ける。以上を特徴とする卓上両面開きのやきとり具である。
【発明の効果】
【０００５】  炭火でジワジワ自由味に焼きながら食べる事とが出来る、しかも、卓上で前後両面で焼く事が出来るのである。
【発明を実施するための最良の形態】
【０００６】  以下、本発明の実施の形態について説明する。
（イ）はこ型本体（１）の上、中央に炭火入り口（２）を設け、串やけ防止板（３）を設ける。
（ロ）炭火具（４）を設け、炭火具（４）に取っ手（５）を設け、本体（１）のつま上部に取っ手（５）を設ける。
（ハ）本体（１）の下部（６）に空気穴を設け、底部（７）に灰受け具を設け、ドア（１２）に耐熱ガラス（８）を設ける。
（二）ドア（１２）の内側下部にＣ型くし受け具（９）を設け、さらに、串固定バネ（１０）を設け、バネ（１０）の下部にバネ固定具（１１）を設ける。
（ホ）前後で焼ける用ドア（１２）を前後に設け、ドア外部中央に取っ手（５）を設け、本体（１）の最上部に野菜やき板（１３）を設け、炭火囲い網具（１４）を設ける。
本発明は以上のような構成で、これを使用するときは、本体（１）を外へ出しの上に親指ていどの大きさにくだいた、炭火を入れる、新聞に火を付ける炭火が八分目赤くなると良い炭火具（４）を入れる、卓上に上げる、ドア（１２）をあけＣ型串受け（９）に、さすように入れ串固定バネ（１１）に串を押し込むと固定する、焼けぐあいを見ながらドア（１２）をあけ串をまわす、本体（１）最上部鉄板で野菜類このみ物を焼く事ができる。
【図面の簡単な説明】
【０００７】
【図１】  本発明の斜視図
【図２】  本発明の一部を取り出した斜視図
【図３】  本発明の斜視図
【図４】  本発明の一部を取り外した斜視図
【図５】  本発明の他の実施例を示す斜視図
【符号の説明】
【０００８】    １    はこ型本体
２    炭火入り口
３    串やけ防止板
４    炭火つり金具
５    取っ手
６    空気穴
７    灰受け具
８    耐熱ガラス
９    Ｃ型串受け具
１０  串固定バネ
１１  バネ固定具
１２  ドア
１３  野菜やき板
１４  炭火囲い網具
１５  串差しやき鳥
【図１】
2007307323.tif 000003
【図２】
2007307323.tif 000004
【図３】
2007307323.tif 000005
【図４】
2007307323.tif 000006
【図５】
2007307323.tif 000007
(57)【要約】【課題】  本発明は持ち運び時、音がでない工夫した携帯用箸箱に関するものである。【解決手段】  箸箱に納めた箸と箸箱の衝撃により発生する音が出ないように、箸箱蓋内部に仕切り板をつけたことを特徴とした携帯用箸箱を関するものである。【選択図】図５
2007307336.tif 000002
【特許請求の範囲】
【請求項１】
蓋の内側中央に箸箱本体を二分する仕切り突起部を設けたことを特徴とする携帯用箸箱。
【発明の詳細な説明】
【技術分野】
【０００１】  本発明は、箸と箸箱の衝撃による音のでない携帯用箸箱に関するものである。
【背景技術】
【０００２】  従来、箸箱は箸を入れ動かすと音がするのが一般的だった。
【発明の開示】
【発明が解決しようとする課題】
【０００３】  そのために、次のような問題点があった。
（イ）箸箱に箸を入れると縦、横とも隙間が有り箸が中で泳ぎ箸と箸箱の衝撃で音がでた。
（ロ）その音がでる為に携帯用としては不向きであった。
（ハ）箸が中で移動するために箸の両端特に先端部が潰れたり、塗料が剥げ落ちたりした。
（ニ）携帯用としては布製の箸袋が一般的であったが、衛生面で問題がある。
本発明は、以上の問題点を解決するためになされたものである。
【課題を解決するための手段】
【０００４】  箸箱内で箸双方の接触がなくかつ遊動スペースが少なく、箸と箸及び箸と箸箱本体の衝撃が少なくするために蓋の内側中央に箸箱本体を二分する仕切り突起部を設ける。
本発明は以上の構成からなる、携帯用箸箱である。
【発明の効果】
【０００５】  上記により、箸箱と箸の相互衝撃により発生する音がでないことで、携帯用として周囲に気使うことなく、いつでもどこでも持ち運ぶことができる。このことで携帯用マイ箸の普及を高め、森林破壊の原因の一つである割り箸の利用を減らし環境問題の改善につながる。
【発明を実施するための最良の形態】
【０００６】  以下、本発明の実施の形態について説明する。
箸箱本体（１）の片方の端（２）からスライド型の蓋（３）をする。その蓋（３）の中央に本体（１）の横幅を二分する位置に仕切り突起部（４）を設ける。片方の端（２）には仕切り突起部（４）が通る切込み部分（５）を設ける。仕切り突起部（４）の長さは箸箱本体の長さより短くし斜めに角度（６）を付けることで蓋（３）の装着を容易にする。突起部（４）と切込（５）の閉蓋の際双方の間隙は狭からず、広過ぎてごみなど入らない適度な間隙とする。
【図面の簡単な説明】
【０００７】
【図１】  本発明の蓋側面図
【図２】  本発明の蓋正面図
【図３】  本発明の箸箱本体側面図
【図４】  本発明の箸箱本体正面図
【図５】  本発明の箸箱使用例断面図
【符号の説明】
【０００８】  １箸箱本体
２蓋挿入口
３蓋
４仕切り突起部
５切込
６仕切り突起部の先端部
【図１】
2007307336.tif 000003
【図２】
2007307336.tif 000004
【図３】
2007307336.tif 000005
【図４】
2007307336.tif 000006
【図５】
2007307336.tif 000007
(57)【要約】【課題】カーテンの下部に網をつけたシャワーカーテンを提供する。【解決手段】カーテンの下部に網を設け、網の下部に重りを装着したことを特徴とするシャワーカーテン。【選択図】図３
2007307337.tif 000002
【特許請求の範囲】
【請求項１】
カーテンの下部に網を設け、網の下部に重りを装着したことを特徴とするシャワーカーテン。
【発明の詳細な説明】
【技術分野】
【０００１】  本発明は、風呂の浴槽やユニットバスの浴槽の仕切り等に用いられるシャワーカーテンに関するものである。
【背景技術】
【０００２】  従来、シャワーカーテンはビニル素材で作られ、使用するときはシャワーカーテンを浴槽内側に落として使用している。
【発明の開示】
【発明が解決しようとする課題】
【０００３】  そのため、次のような問題点があった。浴槽の湯にシャワーカーテンの下部が浸り、防カビ・撥水などの処理がされてるとはいえ、使用期間が長くなるにつれカビや悪臭を発生しやすかった。
本発明は、これらの問題点を解決するためになされたものである。
【課題を解決するための手段】
【０００４】  シャワーカーテンの下部に網を設け、網の下部に重りを装着する。以上を特徴とするシャワーカーテンである。
【発明の効果】
【０００５】  したがって、浴槽の湯にシャワーカーテンの下部が浸る部分が網になっているので、湯に浸かっている面が少ない。そのため、従来のようなカビや悪臭の発生をしにくくしている。また、重りを網の下部に設けているためシャワーの水圧でシャワーカーテンが飛んでしまうこともない。
【発明を実施するための最良の形態】
【０００６】  以下、本発明の実態の形態について説明する。
（イ）カーテン（２）の下部にカーテン（２）の横幅と同一の幅を有する網（３）を設ける。
（ロ）この網（３）の網目の大きさは、特に限定するものでないが、目が細かいことは重りの効果になる。
（ハ）さらに網（３）は防カビ及び撥水加工がされている。装着位置は、浴槽の縁（１）より５ｃｍ位下がった位置から装着する。
（ニ）網（３）の下部に複数の重り（４）を装着する。
（ホ）重り（４）は、スーパーボールのような弾力性のある球体で中央に孔（４ａ）を設けて、網（３）から伸びている紐（５）を通して縛り、装着する。
本発明は以上のような構成で、これを使用するときは、シャワーカーテンを吊った後、網（３）になっている裾を浴槽の内側に落とす。浴槽の縁（１）の５ｃｍ位下から網（３）になっているため、浴槽内の湯に浸っているのは網（３）の部分となる。網（３）の下部に重り（４）を装着しているため、シャワーの水圧でシャワーカーテンが飛んでしまうこともない。湯に浸かっている部分が網（３）のため湯に浸かっている面が少ない。そのため、従来のようなカビや悪臭の発生をしにくくしている。なお、重り（４）は弾力性があるため浴槽をキズつけない。なお、重り（４）を球体としたのは、浴槽の接触面が「点」になるので、キズつきにくい。なお、図面上においては重り（４）となる球体を６個に示しているが、これに限定されることはなく、左、中、右と３個であってもよい。
本発明の重り（４）をシャワーカーテン（２）に装着する場合、次のような方法も当然に考えられる。網（３）の裾を折り返し、重り（４）を入れるポケット（３ａ）のような空間を作りそれに重り（４）を入れることもよい。
【図面の簡単な説明】
【０００７】
【図１】本発明の斜視図
【図２】本発明の拡大図
【図３】本発明の取り付け状態の説明図
【図４】本発明の球体の説明図
【図５】本発明の重りを網ポケットに入れた場合の説明図
【符号の説明】
【０００８】  １    浴槽の縁
２    カーテン
３    網
３ａ  ポケット
４    重り
４ａ  孔
５    紐
【図１】
2007307337.tif 000003
【図２】
2007307337.tif 000004
【図３】
2007307337.tif 000005
【図４】
2007307337.tif 000006
【図５】
2007307337.tif 000007
(57)【要約】【課題】  履くと足によくフィットして快適であるサンダルを提供する。【解決手段】一体成型樹脂を芯として直径５ｍｍの綿又は、麻ロープで編み上げた中敷を付したサンダルを作成することにより、軽い、丈夫、通気性が良い、快適で疲れない、という優れた効果を奏し得る。【選択図】図３
2007307332.tif 000002
【特許請求の範囲】
【請求項１】
通気性、快適性を特徴とする一体成型樹脂を芯として、直径５ｍｍの綿又は麻ロープで編み上げた中敷きを付したサンダル。
【発明の詳細な説明】
【技術分野】
【０００１】  本発明は履物に関する。
【背景技術】
【０００２】  従来、サンダルの中敷き（足底部の当たる部分）には布、合成樹脂などが使われていた日本古来の、わらじはわら縄が使用され、芯にわらを用いて、糸で固定し、日常の履物として使用されていた、わらは腐りやすく、強度もない。現在わらじは一般には使用されていないが、履くと足によくフィットして快適である。本案はこれを、現代の技術でわらを直径５ｍｍの綿、又は麻のロープで、芯には樹脂を一体成型で作成したものを用いて軽くて丈夫な、はき心地の良いサンダルを発明した。
【特許文献１】
【非特許文献１】
【発明の開示】
【発明が解決しようとする課題】
【０００３】  履くと足によくフィットして快適である。本案はこれを、現代の技術でわらを直径５ｍｍの綿、又は麻のロープで、芯には樹脂を一体成型で作成したものを用いて軽くて丈夫な、はき心地の良いサンダル。
【課題を解決するための手段】
【０００４】  本発明は履物にかかるものである。
上記手段によれば、以下のような作用が得られる。
【発明の効果】
【０００５】  本発明の請求項１記載の一体成型樹脂を芯として直径５ｍｍの綿又は、麻ロープで編み上げた中敷を付したサンダルは、軽い、丈夫、通気性が良い、快適で疲れない、という優れた効果を奏し得る。
【発明を実施するための最良の形態】
【０００６】  以下、本発明の実施の形態を添付図面を参照して説明する。
図１〜図６は発明を実施する形態の一例であって、図中、図と同一の符号を付した部分は同一物を表わし、基本的な構成は図に示す従来のものと同様である。
次に、上記した実施の形態の作動を説明する。図１の織物製、樹脂製、ゴム製などのサンダルに図３の４一体成型樹脂を芯として図３の３直径５ｍｍの綿又は、麻ロープを図４の如く編み上げた中敷を付した、図５のサンダルで図５のＡ−Ｂ断面図６の構造である。
尚、本発明の一体成型樹脂を芯として直径５ｍｍの綿又は、麻ロープで編み上げた中敷を付したサンダルは、上記した実施の形態に限定されるものではなく、本発明の要旨を逸脱しない範囲内において種々変更を加え得ることは勿論である。
【図面の簡単な説明】
【０００７】
【図１】中敷装着前のサンダル斜視図
【図２】図１のＡ−Ｂ断面図
【図３】樹脂を芯とした中敷の平面図
【図４】図３のＡ−Ｂ断面図
【図５】本発明のサンダル斜視図
【図６】図５のＡ−Ｂ断面図
【符号の説明】
【０００８】１  サンダル外装部
２  サンダル底部（ゴム、樹脂製）
３  綿、麻製の直径５ｍｍのロープ
４  一体成型の樹脂製芯
【手続補正書】
【提出日】平成18年7月12日(2006.7.12)
【手続補正１】
【補正対象書類名】図面
【補正対象項目名】全図
【補正方法】追加
【補正の内容】
【図１】
2007307332.tif 000003
【図２】
2007307332.tif 000004
【図３】
2007307332.tif 000005
【図４】
2007307332.tif 000006
【図５】
2007307332.tif 000007
【図６】
2007307332.tif 000008
(57)【要約】【課題】スーツをハンガーにかける際、ズボンにしわができないように掛けるという面倒なズボン掛けを容易にし、ズボンにしわができにくくすると同時に、スーツを部屋に脱ぎ散らかさず、整理整頓につながるものを提供する。【解決手段】ハンガーの形を、上着用とズボン用に分離し、上着ハンガー１より上部にズボンハンガー２を配置することによって、上着を掛けた後にズボンを上から掛けられるようにすることでズボンを掛ける手間がなくなり、またタンスから吊り下げ用ハンガーを取り出すのではなく、１着専用置型の持ち運び可能タイプとし、使い勝手を良くすることでスーツをハンガーにかけるようになり部屋の整理整頓に役立てる。【選択図】図１
2007307339.tif 000002
【特許請求の範囲】
【請求項１】
ハンガーを１着専用の置き型とした点。
【請求項２】
ズボンを掛けるハンガーの位置を、上着をかけるハンガーの上に配置し、スーツのズボンにしわがつかないように容易に掛けられるようにした点。
【発明の詳細な説明】
【技術分野】
【０００１】本発明は、スーツを脱いでハンガーにかける際、上着を掛けた後からでも、スーツのズボンをしわがつかないよう容易に掛けられるようにすることを意図している。またタンスにしまうのではなく置型タイプにすることで、部屋の隅やデッドスペースに頻繁に使用するスーツを置くことができ、部屋の整理整頓を図ることを意図したものである。
【技術背景】
【０００２】帰宅してスーツを脱ぐ際、洋服ダンスからハンガーを取り出し、そのハンガーに上着を掛けた後、ズボンを脱いでそのハンガーの内側にあるズボン掛けに掛ける一連の流れが、非常に無駄が多く面倒であり、さらにしわを付けないように掛けることも困難であった。そのためスーツのズボンは椅子の背などにかけたり、脱ぎ散らかしてしまうことが多く、翌朝ズボンやスーツにしわができていることが多かった。
また、毎日着るスーツをいちいちタンスにしまうため、翌日取り出すのが面倒であったが、置型タイプにすることでスーツが取り出しやすくなった。
【特殊文献】
【０００３】
【発明の開示】
【発明が解決しようとする課題】
【０００４】通常のハンガーの場合、ズボンをかけるのは非常に面倒で尚かつしわができないようにかけるのは難しい。そこで帰宅してスーツを脱いで簡単にかけることができ、スーツを脱ぎ散らかさないような工夫をしたいと考えた。
また、スーツは数日同じものを着ることが多いため、取り出しやすい場所に置きたいと考えた。本発明はこの課題を解消するためになされたものである。
【課題を解消するための手段】
【０００５】ハンガーを置型タイプにすることで、部屋のどこにでも（部屋の隅、置きたい場所、デッドスペースなど）持ち運べるようにした。また、ハンガーを上着用とズボン用に分離し、スーツの上着をかけた後に、しわがつかぬように簡単にかけられるよう、ズボンを掛けるハンガーの位置を、上着を掛けるハンガーの上部に配置した。
【発明の効果】
【０００６】帰宅してスーツを脱いだ際、脱いだ順でハンガーにかけることができるようになり、スーツをハンガーに掛ける手間を省くことができた。またズボンを容易に掛けることができ、しわができにくくなった。さらにスーツを脱ぎ散らかすことがなくなり、部屋の整理整頓にも役立った。
【実施例１】
【０００７】（イ）ハンガー台３に上着ハンガー１を取り付け、さらにその上にズボンハンガー２を取り付ける。
（ロ）スーツ上着を上着ハンガー１に掛けた後、ズボンハンガー２にズボンを掛ける。
【図面の簡単な説明】
【０００８】
【図１】本発明の正面図
【図２】本発明の使用状況を示す図
【符号の説明】
【０００９】１  上着ハンガー
２  ズボンハンガー
３  ハンガー台
【図１】
2007307339.tif 000003
【図２】
2007307339.tif 000004
(57)【要約】【課題】  履くと足によくフィットして快適であるサンダルを提供する。【解決手段】  足底部の形に成型した桐の板を中敷とし、軽い、丈夫、通気性が良い、快適で疲れない、という優れた効果を奏し得るサンダル。【選択図】図４
2007307331.tif 000002
【特許請求の範囲】
【請求項１】
通気性、快適性を特徴とする桐の木を足の形に成型し中敷きとしたサンダル。
【発明の詳細な説明】
【技術分野】
【０００１】本発明は履物に関する。
【背景技術】
【０００２】  従来、サンダルの中敷き（足底部の当たる部分）には布、合成樹脂などが使われている日本古来の、桐の下駄は軽くて履きやすく、日常の履物として使用されていた、サンダル底の部分は布、合成樹脂、ゴムなどを用いて、足底部は桐の板を成型したものを使用する、履くと足によくフィットして快適である。
【特許文献１】
【非特許文献１】
【発明の開示】
【発明が解決しようとする課題】
【０００３】  素足で板の間を歩く感覚、日本古来からの桐の下駄を履いている感覚を得る。
【課題を解決するための手段】
【０００４】  本考案は履物にかかるものである。
上記手段によれば、以下のような作用が得られる。
【発明の効果】
【０００５】  本考案の請求項１記載の桐の板を足の形に成型しサンダルの中敷として使用することで板の間を歩くような、開放感、快適性を得る、という優れた効果を奏し得る。
【発明を実施するための最良の形態】
【０００６】  以下、本発明の実施の形態を添付図面を参照して説明する。
図１〜図５は発明を実施する形態の一例であって、図中、図と同一の符号を付した部分は同一物を表わし、基本的な構成は図に示す従来のものと同様である。
次に、上記した実施の形態の作動を説明する。
図１の布、樹脂、ゴム製のサンダル外装の中敷として図３の足底部に成型した桐の板を付したサンダル。図４は本発明の斜視図であり、その断面は図５のようになる。
通気性、快適性を特徴とする桐の板の中敷きを附したサンダルは、上記した実施の形態に限定されるものではなく、本発明の要旨を逸脱しない範囲内において種々変更を加え得ることは勿論である。
【図面の簡単な説明】
【０００７】
【図１】  桐の板を装着前のサンダル斜視図
【図２】  図１のＡ−Ｂ断面図
【図３】  足底部の形に成型した桐の板
【図４】  本発明のサンダル斜視図
【図５】  図４のＡ−Ｂ断面図
【符号の説明】
【０００８】１  本発明サンダル外装部
２  サンダル底部（ゴム、樹脂製）
３  足底部の形に成型した桐の板
【図１】
2007307331.tif 000003
【図２】
2007307331.tif 000004
【図３】
2007307331.tif 000005
【図４】
2007307331.tif 000006
【図５】
2007307331.tif 000007
(57)【要約】【課題】  宿の風呂に入る時、同じカギが２つに分けることができれば、相手方を気にかけず部屋へ戻ることができ、お互い有効的に時間を使うことのできるキーホルダーを提供する。  その他、外出時に母親と子供など日常的にも使用可能である。【解決手段】  キーホルダー（１）の一端にナットや磁石や面ファスナーなどの係止具を設け、同じカギ付きキーホルダー（４）に、ボルトや磁石や面ファスナーの係止具（３）を設けた湯冷め解消客室キーホルダーを特徴とする。【選択図】図１
2007307316.tif 000002
【特許請求の範囲】
【請求項１】
キーホルダー（１）の一端にナットを設け、キーホルダー（４）にボルトを設けた湯冷め解消客室キーホルダー。
【請求項２】
キーホルダー（１）とキーホルダー（４）の一端に面ファストーを設けた湯冷め解消客室キーホルダー。
【請求項３】
キーホルダー（１）とキーホルダー（４）の一端に磁石を設けた湯冷め解消客室キーホルダー。
【請求項４】
キーホルダー（１）とキーホルダー（４）の一端に係止具を設けた湯冷め解消客室キーホルダー。
【発明の詳細な説明】
【技術分野】
【０００１】  この発明は、たとえば旅館やホテルなどのキーホルダーの一端に同じカギを収納したキーホルダーを脱着できるように工夫した湯冷め解消客室キーホルダーに関するものである。
【背景技術】
【０００２】  従来、カギ１つだけ付いたキーホルダーがあった。
【発明の開示】
【発明が解決しようとする課題】
【０００３】  従来、たとえば旅館のフロントで部屋のカギを受け取り、客室までは普段どおりに入ることができたが、風呂から出たときカギが１つしかないために相方を外で待たなければならなかった。
体が冷めてしまってまた風呂に入ることになった。
本発明は以上のような欠点をなくすためになされたものである。
【課題を解決するための手段】
【０００４】  キーホルダー（１）の一端に係止具（２）を設ける。
キーホルダー（１）の一端に係止具（３）を設ける。
固定具（５）に補助キーを設ける。
キーホルダー（１）にカギ穴を設ける。
本発明は以上の構成よりなる湯冷め解消客室キーホルダーである。
【発明の効果】
【０００５】  宿のカギが２つ脱着可能になっているため風呂を利用になったお客様が相手の人を待たなくても部屋に入ることが可能である。
お互い気兼ねなくゆっくり入浴できる。
返却するときも２つを１つにしてしまえば、かさばることもなく紛失の心配もなくなる。
宿側の仕事もスムーズに進み効率が上がる。
お客様にとっても限られた時間を有効活用できる。
その他、用途によって使い分けることもできる。
たとえば、お母さんと子供の帰宅用など子供にとって母親といつもつながっているような安心感をもつことができる。
【発明を実施するための最良の形態】
【０００６】  以下の本発明を実施するための最良の形態について説明する。
キーホルダー（１）にナット、磁石、係止具（２）の係止具を付ける。
キーホルダー（１）にかぎをつける鍵穴（６）を開ける。
キーホルダー（４）にボルト、磁石、係止具（３）を付ける。
キーホルダー（４）にカギを収納するものを作る。
本発明は以上のような構造でこれを使用するときは、左右同じカギの付いた物を脱して使用し、終わったら元の１つの状態にすれば良い。
【図面の簡単な説明】
【０００７】
【図１】  本発明の断面図である。
【図２】  本発明の斜視図である。
【符号の説明】
【０００８】  １  キーホルダー
２  ナット磁石、係止具
３  ボルト磁石、係止具
４  カギ収納付きキーホルダー
５  固定具
６  鍵穴
【図１】
2007307316.tif 000003
【図２】
2007307316.tif 000004
(57)【要約】【課題】  本発明は、伸縮自在の蛇腹構造を有する本体と、その上部に噴水口を設けたくちばし部とを結合させ、内部の水圧により容易にお尻が洗えるように工夫した携帯用お尻洗浄器で、排便後の肛門や生理中の人の局所を洗浄する携帯用お尻洗浄器を提供する。【解決手段】  伸縮自在の蛇腹構造を大きな特徴とした本体と、その上部（くびの部分）に噴水口を設けたくちばし部とを結合させ、内部の水圧により容易にお尻（ビデ兼用）が洗える携帯用お尻洗浄器。【選択図】図１
2007307317.tif 000002
【特許請求の範囲】
【請求項１】
伸縮自在の蛇腹構造を有する本体と、その上部に噴水口を設けたくちばし部とを結合させ、内部の水圧により容易にお尻が洗えることを特徴とした携帯用お尻洗浄器。
【発明の詳細な説明】
【技術分野】
【０００１】  本発明は、伸縮自在の蛇腹構造を有する本体と、その上部に噴水口を設けたくちばし部とを結合させ、内部の水圧により容易にお尻が洗えるように工夫した携帯用お尻洗浄器で、排便後の肛門や生理中の人の局所を洗浄する携帯用尻洗浄器に関するものである。
【背景技術】
【０００２】  従来、携帯用尻部洗浄器に関しては、これまでに様々な発明品が工夫されているが現実的には使用法が簡単でしかも安全でなければならない。
構造も単純で、壊れにくい方が良い。
なお、これまでにも圧縮変形可能で原形に復帰可能で容器の先端にノズルヘッドを連結した同様の発明が知られている（特許文献１）。
【特許文献１】  特開２００１−７０１９５号公報
【発明の開示】
【発明が解決しようとする課題】
【０００３】  従来の発明品には、次のような問題点があった。
（イ）どれも携帯するには、やや不適で、その上、使用後の保管が不便である。
（ロ）使用後、衛生面で不潔である。
（ハ）中身の洗浄水が、最後の一滴までは使用（利用）出来ない。
（ニ）構造的に水漏れなど、正確に機能できない。
（ホ）洗浄水の量が充分ではない。
（ヘ）洗浄水の内容量が外から見えない。
（ト）携帯とは名ばかりで、使用後、小型化してケース等に収納できない。
（チ）盲人が使用するとき不便である。
本発明は以上の問題点を解決しようとするものである。
【課題を解決するための手段】
【０００４】  伸縮自在の蛇腹構造を大きな特徴とした本体と、その上部に噴水口を設けた頭部であるくちばし部とを結合させ、内部の水圧により容易にお尻を洗える構造である。
以上のように構成された尻部洗浄器である。
【発明の効果】
【０００５】  本発明は、本体の９０％以上を伸縮自在の蛇腹構造にすることにより洗浄水を充分な量確保できる。
また、底部を圧縮することにより水圧の強さも自由自在に変えられ、中身の洗浄水を無駄なく最後の一滴まで利用可能、すべての問題点を解決できる。
【発明を実施するための最良の形態】
【０００６】  以下、本発明の実施の形態を説明する。
円筒中空からなる蛇腹構造の本体（１）と、その上部に噴水口（３）を設けた中空筒状のＬ字形状からなるくちばし部（２）を結合させた器具である。
使用時に本体（１）の底部（７）からの押圧による水圧に耐えられるように、本体（１）とくちばし部（２）とは、スクリューキャップ（ねじ式）で結合されている。
なお、くちばし部（２）の噴水口（３）は水を注入したときに指の圧により水が噴水口（３）から漏れないように開閉できるしくみになっている（左右に動かす）。
また、本体（１）の肩部（５）には、すべり止め用の丸い突起が周囲に円環状に設けられている。
なお、この器具を使用するとき、噴水口（３）の方向が手さぐりでもわかるように噴水口（３）の真下部の肩部（５）には、やや大きめ（高い）の突起を設けている。
また、本体（１）の底部（７）にもすべり止めのためにわずかな凹みを設けている。
また、底部（７）にも噴水口（３）の方向が触ってわかるように、１つだけ突起を設けている。
この工夫は盲人の方にも簡単に使用できるためのものである。
この器具は使用後、本体（１）が蛇腹構造のため高さ（長さ）が約３分の１になりコンパクトな折りたたみケース（８）に入りポケットやカバン、バッグなどにも入れられる。
本発明は以上のような構成よりなっている。
本発明の実施例について説明する。
（イ）排便前、予め本体（１）の上部のねじ部（４）を回転させ、くちばし部（２）をは    ずし水、またはぬるま湯を注入し噴水口（３）を閉の状態にする。
（ロ）排便後、ペーパーで拭いた後そのままの姿勢で、噴水口（３）を開の状態にして局    所（肛門）に向けて本体底部（７）を押圧して洗浄する。
（ハ）洗浄後局所をトイレットペーパーで水を拭き取る。
（ニ）ビデ（生理）においては、それなりのスタイルにて使用する。
【図面の簡単な説明】
【０００７】
【図１】  本発明の正面図である。
【図２】  本発明の縮小時の分解斜視図である。
【図３】  本発明の携帯ケースの収納状態を示した正面図である。
【０００８】      １  本体
２  くちばし部
３  噴水口
４  ねじ部
５  肩部
６  突起
７  底部
８  携帯用折りたたみケース
【図１】
2007307317.tif 000003
【図２】
2007307317.tif 000004
【図３】
2007307317.tif 000005
(57)【要約】【課題】  本発明は、日常的に足裏を刺激する為に自己所有の履物に装着可能な突起のある足裏刺激シールを提供する。【手段】  球形物をシールで包み、突起部分を設け、粘着部分で履物の底敷に装着させ自己所有の履物でも足裏に刺激を与えられるようにする。【選択図】図１
2007307390.tif 000002
【特許請求の範囲】
【請求項１】
球形物をシールで包み突起部分を設け、履物の底敷に装着することで足裏を刺激することができるシール。
【発明の詳細な説明】
【技術分野】
【０００１】  本発明は、足裏を刺激するために履物の足裏にあたる部分に装着するだけで、自己所有の履物で足裏を刺激することを可能とするものである。
【背景技術】
【０００２】  従来は足裏を刺激するには突起付サンダルを履くことや、割った竹を踏むことなどであった。
【発明の開示】
【発明が解決しようとする課題】
【０００３】  そのために次のような問題点があった。
（イ）  足裏を刺激するには突起付サンダルを履いたり、割った竹を踏んだりしていた。
（ロ）  よって日常的に足裏を刺激することには限界があった。
本発明は、以上の問題点を解決するためになされたものである。
【課題を解決するための手段】
【０００４】  シールで包んだ球形物を、自己所有の履物の底敷に装着することによって日常的に足裏刺激を与えることを可能とした。
本発明は、以上の構成よりなる足裏刺激シールである。
【発明の効果】
【０００５】  自己所有の履物に装着することにより、日常的に足裏に刺激を与えることを可能とする。また、自分の好みの箇所に装着することが可能である。粘着力でしっかりと固定できる。外すときも底敷を傷めることがない。
【発明を実施するための最良の形態】
【０００６】  以下、本発明の実施の形態を説明する。
（イ）  球形物（１）をシール（２）で包み、底部には粘着部分（３）を設ける。その際シール（２）には球形物（１）による突起部分（４）を設ける。
（ロ）  シール（２）及び、粘着部分（３）は、履物底敷（６）の形状に合わせてカットした形状（５）とする。
本発明は以上のような構造でこれを使用するときは、履物の底敷（６）に粘着部分（３）を装着させ、突起部分（４）が足裏を刺激する。
【図面の簡単な説明】
【０００７】
【図１】  本発明の使用状態を示す断面図である。
【図２】  本発明の使用状態を示す上部から見た図である。
【符号の説明】
【０００８】（１）球形物、（２）シール、（３）粘着部分、（４）突起部分、（５）カットした形状（６）履物の底敷、（７）履物の本体。
【図１】
2007307390.tif 000003
【手続補正書】
【提出日】平成19年7月9日(2007.7.9)
【手続補正２】
【補正対象書類名】図面
【補正対象項目名】全図
【補正方法】変更
【補正の内容】
【図１】
2007307390.tif 000004
【図２】
2007307390.tif 000005